(57)【要約】【課題】信号線における半断線を容易に検出することができる半断線検出装置を提供する。【解決手段】  半断線検出装置１の制御部１１は、振動が与えられている信号線に対して送信されたテストデータと、その信号線から受信されたテストデータとが一致するか否かを判定し、一致したと判定した場合は半断線が検出されなかったことを示す半断線未検出メッセージを表示部１４に表示する一方で、一致したと判定した場合は半断線が検出されたことを示す半断線検出メッセージを表示部１４に表示する。【選択図】図１
0003214355.tif 000002
【実用新案登録請求の範囲】
【請求項１】
振動が与えられている信号線に対して所定長のデータを繰り返し送信する送信部と、
前記信号線からデータを繰り返し受信する受信部と、
前記送信部によって送信されたデータと前記受信部によって受信されたデータとに基づいて、通信結果が正常であるか否かを判定する判定部と、
前記判定部による判定に基づいて、前記信号線における半断線の有無を検出する検出部と
を備える、半断線検出装置。
【請求項２】
前記送信部は、前記信号線における通信速度上限で前記データを繰り返し送信するように構成されている、
請求項１に記載の半断線検出装置。
【請求項３】
前記送信部及び前記受信部はそれぞれ、ＲＳ−２３２Ｃの通信方式によりデータを送受信するように構成されている、
請求項１又は２に記載の半断線検出装置。
【考案の詳細な説明】
【技術分野】
【０００１】
本考案は、信号線における半断線を検出する半断線検出装置に関する。
【背景技術】
【０００２】
電気設備に設けられている各種ケーブルにおいて生じる半断線を検出するための技術として、従来種々のものが提案されている。例えば、特許文献１には、ケーブルの温度を測定するためのセンサ部と，センサからの信号を計測する計測部と，複数箇所の温度計測結果を記憶する記憶部と，複数箇所の温度差の良否判定閾値を設定する設定部と、複数箇所の温度計測結果から前記設定部により設定した温度差閾値を越えているか否かを判定する判断部とを備えるケーブル半断線装置が開示されている。このケーブル半断線装置によれば、判断部による判断結果によりケーブルにおける半断線の有無を自動的に検知することができるため、人による判断が介在する場合と比べて高精度に半断線を検出することが可能になる。
【先行技術文献】
【特許文献】
【０００３】
【特許文献１】特開２００７−２０６００４号公報
【考案の概要】
【考案が解決しようとする課題】
【０００４】
しかしながら、上記の従来のケーブル半断線装置の場合、ケーブルにおける温度に基づいて判断を行っているため、温度環境の変化に伴い半断線を正確に検出できない等の問題が起こり得る。
【０００５】
本考案は斯かる事情に鑑みてなされたものであり、その主たる目的は、安定した精度で信号線における半断線を検出することができる半断線検出装置を提供することにある。
【課題を解決するための手段】
【０００６】
上述した課題を解決するために、本考案の一の態様の半断線検出装置は、振動が与えられている信号線に対して所定長のデータを繰り返し送信する送信部と、前記信号線からデータを繰り返し受信する受信部と、前記送信部によって送信されたデータと前記受信部によって受信されたデータとに基づいて、通信結果が正常であるか否かを判定する判定部と、前記判定部による判定に基づいて、前記信号線における半断線の有無を検出する検出部とを備える。
【０００７】
この態様において、前記送信部は、前記信号線における通信速度上限で前記データを繰り返し送信するように構成されていてもよい。
【０００８】
また、上記態様において、前記送信部及び前記受信部はそれぞれ、ＲＳ−２３２Ｃの通信方式によりデータを送受信するように構成されていてもよい。
【考案の効果】
【０００９】
本考案に係る半断線検出装置によれば、安定した精度で信号線における半断線を検出することが可能になる。
【図面の簡単な説明】
【００１０】
【図１】実施の形態に係る半断線検出装置の構成を示すブロック図。
【図２】半断線検出装置の制御部が実行する通信速度決定処理の手順を示すフローチャート。
【図３】半断線検出装置の制御部が実行する半断線検出処理の手順を示すフローチャート。
【考案を実施するための形態】
【００１１】
以下、本考案の好ましい実施の形態を、図面を参照しながら説明する。なお、以下に示す各実施の形態は、本考案の技術的思想を具体化するための方法及び装置を例示するものであって、本考案の技術的思想は下記のものに限定されるわけではない。本考案の技術的思想は、実用新案登録請求の範囲に記載された技術的範囲内において種々の変更を加えることができる。
【００１２】
［半断線検出装置の構成］
図１は、本考案の実施の形態に係る半断線検出装置の構成を示すブロック図である。図１に示すように、半断線検出装置１は、ＣＰＵを具備する制御部１１と、電源部１２と、入力部１３と、表示部１４と、送信部１５とを備えている。
【００１３】
制御部１１は、例えばRaspberry Pi等のシングルボードコンピュータで構成されており、各種のコンピュータプログラムを実行するとともに、入力部１３，表示部１４及び送信部１５の動作を制御する。なお、制御部１１としてパーソナルコンピュータ等を用いることも可能であるが、シングルボードコンピュータの場合、携帯性に優れる等の利点が得られる。
【００１４】
電源部１２は、例えばＵＳＢ電源又はモバイルバッテリー等で構成され、制御部１１に対して電力を供給する。入力部１３は、キーボード及びマウス等で構成されており、制御部１１に対する入力を受け付ける。また、表示部１４は、液晶ディスプレイ等で構成され、制御部１１からの指示にしたがって画面を表示する。
【００１５】
送信部１５は、ＲＳ−２３２Ｃシリアル通信ユニットで構成されており、一対の測定プローブ１６，１６と接続されている。この送信部１５は、制御部１１からの指示にしたがって、測定プローブ１６，１６を介して、信号線に対して所定のデータを送信する。なお、測定プローブ１６，１６は、D-Sub9ピンコネクタにおける２番（受信）及び３番（送信）のピンがループ状となるように結線される。このとき、必要に応じて、渡り線（ジャンパ線）が用いられる。
【００１６】
［半断線検出装置の動作］
次に、上述したように構成された半断線検出装置１の動作について、フローチャートを参照しながら説明する。本実施の形態では、信号線における半断線を検出するための半断線検出処理、及びその半断線検出処理において用いられるデータ送受信の通信速度を決定するための通信速度決定処理の２つの処理が実行される。以下、各処理の詳細について説明する。
【００１７】
（１）通信速度決定処理
通信速度決定処理において、半断線検出装置１は、300bpsから38400bpsまでの範囲内で予め定められている複数段階の通信速度の中から、その後に実行される半断線検出処理において用いられるデータ送受信の通信速度（以下、「半断線検出用通信速度」という）を決定する。
【００１８】
図２は、半断線検出装置１の制御部１１が実行する通信速度決定処理の手順を示すフローチャートである。ユーザは、半断線検出の対象である信号線に測定プローブ１６，１６を接続した上で、入力部１１を用いて、半断線検出装置１の制御部１１に対して通信速度決定処理の開始を指示する。この指示を受け付けた制御部１１はまず、上述した複数段階の通信速度の中から最も遅い通信速度を選択し（Ｓ１０１）、その通信速度による通信処理を実行する（Ｓ１０２）。この通信処理では、測定プローブ１６，１６の一方を介して送信部１５から特定の文字列がデータとして送信され、その後その他方を介してデータが受信される。
【００１９】
次に、制御部１１は、通信処理が正常に完了したか否かを判定する（Ｓ１０３）。より具体的に説明すると、制御部１１は、送信データと受信データとの比較を行い、その結果両者が一致した場合は通信処理が正常に完了したと判定する（Ｓ１０３でＹＥＳ）一方、一致しない場合は通信処理が正常に完了しなかったと判定する（Ｓ１０３でＮＯ）。ここで、通信処理が正常に完了したと判定した場合（Ｓ１０３でＹＥＳ）、制御部１１は、先のステップＳ１０１において選択した通信速度よりも一段階速い通信速度を選択し（Ｓ１０１）、再度ステップＳ１０２を実行する。これらのステップＳ１０１及びＳ１０２が、ステップＳ１０３にて通信処理が正常に完了しなかったと判定されるまで繰り返し実行される。
【００２０】
ステップＳ１０３において通信処理が正常に完了しなかったと判定した場合（Ｓ１０３でＮＯ）、制御部１１は、その時点において用いられている通信速度より一段階遅い通信速度が、半断線検出の対象である信号線における通信速度上限であると判断し、当該通信速度を半断線検出用通信速度とする（Ｓ１０４）。
【００２１】
なお、その通信速度上限で安定した通信が実現できない場合（例えば、その通信速度上限で繰り返し通信を行った場合にある程度の確率で通信エラーが起きる等の場合）、当該通信速度上限の半分程度の通信速度を半断線検出用通信速度として採用してもよい。
【００２２】
（２）半断線検出処理
ユーザは、半断線検出の対象である信号線に測定プローブ１６，１６を接続した上で、入力部１３を用いて、半断線検出装置１に対して半断線検出処理の開始を指示する。この指示を受け付けた半断線検出装置１の制御部１１は、以下の半断線検出処理を実行する。なお、ユーザは、以下の半断線検出処理が実行されている間、その信号線において半断線が疑われる箇所に対して繰り返し振動を与え続ける。信号線に半断線が生じている場合、その箇所に振動を与えることにより、通信が不安定になる。本実施の形態の半断線検出処理では、このように信号線に振動を与えながら正常な通信ができているか否かを判定することにより、半断線の検出を行う。
【００２３】
図３は、半断線検出装置１の制御部１１が実行する半断線検出処理の手順を示すフローチャートである。制御部１１はまず、先の通信速度決定処理によって決定された半断線検出用通信速度を通信速度として設定し（Ｓ２０１）、その通信速度で送信部１５にテストデータを送信させる（Ｓ２０２）。これにより、測定プローブ１６，１６の一方を介して、信号線に対してテストデータが送信される。なお、このテストデータとしては、例えば文字コードＵＴＦ−８で２５６バイト分の文字列などが用いられる。
【００２４】
次に、制御部１１は、測定プローブ１６，１６の他方を介してテストデータを受信し（Ｓ２０３）、その受信したテストデータと送信したテストデータとが一致するか否かを判定する（Ｓ２０４）。ここで、両データが一致すると判定した場合（Ｓ２０４でＹＥＳ）、制御部１１は、半断線が検出されなかったことを示す半断線未検出メッセージを表示部１４に表示させる（Ｓ２０５）。他方、両データが一致しないと判定した場合（Ｓ２０４でＮＯ）、制御部１１は、半断線が検出されたことを示す半断線検出メッセージを表示部１４に表示させる（Ｓ２０６）。
【００２５】
次に、制御部１１は、半断線検出処理の停止命令をユーザから受け付けたか否かを判定する（Ｓ２０７）。ここで、停止命令を受け付けていないと判定した場合（Ｓ２０７でＮＯ）、制御部１１は、ステップＳ２０２に戻り、それ以降の処理を実行する。他方、停止命令を受け付けたと判定した場合（Ｓ２０７でＹＥＳ）、制御部１１は、半断線検出処理を終了する。このように、半断線検出処理の停止命令が受け付けられるまで、上記のステップＳ２０２乃至Ｓ２０６が繰り返し実行される。その結果、信号線において半断線が生じていない場合は、半断線未検出メッセージが繰り返し表示される一方で、半断線が生じている場合は、半断線検出メッセージの表示が行われる。これにより、ユーザは、信号線において半断線が生じていることを認識することができる。
【００２６】
なお、半断線の特徴ともいえる振動発生時のノイズによる影響を精度良く検出するためには、可能な限り速い通信速度で半断線検出処理を行うことが好ましい。本実施の形態の場合、通信速度決定処理によって定められた信号線における通信速度上限で半断線検出処理を行うため、高精度な検出が可能になる。
【００２７】
上記のようにして半断線が検出された場合、ユーザは、半断線が生じている箇所に対して修復を施すことになる。その修復後、再び上記の半断線検出処理を実行することにより、適切に修復されたか否かを確認することができる。
【００２８】
本考案に係る半断線検出装置１の場合、従来のように半断線の検出精度が温度環境に影響を受けるようなことはない。そのため、安定した精度で信号線における半断線を検出することが可能になる。
【符号の説明】
【００２９】
１  半断線検出装置
１１  制御部
１２  電源部
１３  入力部
１４  表示部
１５  送信部
１６  測定プローブ
【図１】
0003214355.tif 000003
【図２】
0003214355.tif 000004
【図３】
0003214355.tif 000005